(57)【要約】性的補助器具は可撓性シート材料製のそして２つのコンテナー（１０）を含んでいるコンテナー配置（１）を含み、各コンテナーはそれを通って液体を満たすことができる通路（１４）を持っている。これらコンテナー（１０）は、少なくとも部分的に重なった関係に配置される２つの平坦に置かれたバック（１０）よりなる。バックはバック間に外部からアクセスできるスペース（１５）を形成するように、２つの別々のシームによって合体接続される。それぞれのバックのネック（１４）はそれぞれのネック（１４）を結び目（１６）において結ぶことを可能にする長さを有する。
2004525739.tif 000002
【特許請求の範囲】
【請求項１】
可撓性シート材料から作られたコンテナー配置又はユニット（１）からなり、かつ２つのコンテナー（１０）と、そしてそれを通ってそれぞれのコンテナー（１０）が液体で満たされる個別の通路を含んでおり、該コンテナー（１０）はそれらの間にアクセス可能な開口を有するスペース（１５）を区画している性的補助器具であって、該コンテナーは平坦に横たわる状態において、少なくとも部分的に互いに重なり合う２つのバックから構成され、該バックは別々のシーム（１２，１３；１８，１９）により互いに接続され；そして各バックは前記充填通路を形成し、かつ該バックを封鎖するようにネック（１４）が結び目（１６）で結ぶことができる自由長さを有する該ネックを有することを特徴とする、性的補助器具。
【請求項２】
ネックを互いに平行にしてバックが重なり合っている関係に配列されていることを特徴とする、請求項１に記載の補助器具。
【請求項３】
該バックは同様の方向へ向けられたネック（１４）により重ね合わされており、そのネックは好ましくは半かけ結びのような、１つでかつ同じ共通の結び目により同時に封鎖又はシールできることを特徴とする、請求項１又は２に記載の補助器具。
【請求項４】
各バック（１０）のサイドエッジの間に延びている、少なくとも１つのシーム（１３）は、前記ネックのシール前に前記ネックを介して各バックの大部分に液体を供給することを許容するように断続していることを特徴とする、請求項２又は３に記載の補助器具。
【請求項５】
２つの平行なシーム（１２，１３）と該バック（１０）との間に形成されたスペース（１５）は、通り抜けている通路の形状を有することを特徴とする、請求項１ないし４のいずれかに記載の補助器具。
【請求項６】
該バック（１０）と該２つの平行なシーム（１２，１３）との間に形成された該スペース（１５）は、該２つの一般に平行なシーム（１２，１３）に直交して延びている第３の接続シーム（１７）により境界が定められていることを特徴とする、請求項１ないし４のいずれかに記載の補助器具。
【請求項７】
該バックはそれらのサイドエッジ部分に沿った接続シーム（１８，１９）により相互に接続されており、それらはそれぞれのネックの縦軸と平行に向けられていることを特徴とする、請求項２又は３に記載の補助器具。
【請求項８】
該バック（１０）間のスペース（１５）へアクセスするための開口を形成するように、該シーム（１８，１９）の少なくとも１つが中断されている（２８，２９）ことを特徴とする、請求項７に記載の補助器具。
【発明の詳細な説明】
【技術分野】
【０００１】
本発明は、請求項１の前文の中で定義されているような性的補助器具に関する。
【背景技術】
【０００２】
公知のこの種の性的補助器具は可撓性シート材料からなるコンテナーユニット又は配置を含んでおり、その中で該ユニットは、各コンテナーへ液体を供給することができるそれぞれの充填通路を有している２つのコンテナーを含んでおり、
そしてそれぞれの通路は、その各々のコンテナーを充填させた後で該通路を閉塞させるための手段を含んでいる。
【０００３】
それぞれの充填通路は、その各々のコンテナーへしっかりと溶接され、そしてストッパーを含んでいるチューブ形状の要素からなる。
【０００４】
そのようなストッパーが装備された充填チューブは比較的高価であり、かつ各コンテナーの壁を通して接合するため（溶接する) 作業が必要となる。
【０００５】
さらに、充填チューブは小さな通路流量能力を有している（それによってコンテナーを充満するために比較的長い時間が必要であり、そして度々かなりの量がこぼれる）。
【０００６】
また、充填チューブの中のストッパーの挿入は、そのチューブが小さな直径を有する時に面倒な作業を構成する。
【発明の開示】
【０００７】
本発明の目的は、その構造が補助器具の簡単な製作を提供し、そしてまた、コンテナーを速やかに水で満たして充填通路を容易に閉じることができる、前述のような補助器具を提供することである。
【０００８】
補助器具はマスターベーションの補助器具からなり、体温の水で満たされた時、女性の性器を真似することを意図する。
【０００９】
本発明の目的は、請求項１の中で定義される補助器具により達成される。
【００１０】
補助器具の具体例は、従属項により定義される。
【００１１】
現在好ましい本発明の１つの具体例においては、補助器具は相互に同じ方向に延びており、かつ互いに完全に重なり合っている、２つの平坦で細長いバックより構成されており、前記バックは、例えばそれらの各長辺に沿って２つの溶接シームにより互いに接続されている。
【００１２】
各バックのネック部分は、例えば半かけ結びにより手で結び目を作ることにより、そのネックがたやすくシールできるようにするために十分に長く、それにより両ネックは、例えば共通の半かけ結びのような共通の結び目により、同時にシールされたり又は封鎖されたりすることができる。
【００１３】
バックはその全長に渡って均一の幅で製作することができるため、バックのネックは大きな断面積の充填通路を形成し、それによってコンテナーは容易かつ速やかに水道のなまぬるい蛇口水で満たすことができる。
【００１４】
補助器具は使い捨ての、すなわち１回限りの使用のための製品であってもよく、その中身の液体を処分する前に補助器具を空にする目的で穴を開けることができる。
【発明を実施するための最良の形態】
【００１５】
今や本発明は、付随する図面を参照して例示として詳述されるであろう。
【００１６】
図１は、２つの互いに似ている細長い平坦なバック１０を示し、それらは各平面において完全に重なっている。
【００１７】
それぞれのプラスチックバック１０は、バックの長手方向に直交して延びている底部シーム１１を有している。
【００１８】
２つのバックは、それらの底部シーム１１に近接して各バック１０の底部エッジと大体平行に延びているシーム１２により、互いに接続されている。
【００１９】
バック１０を接続している断続的なシーム１３は、シーム１２に平行して延びている。
【００２０】
シーム１２，１３及び２つのバック１０は、それらの間のスペース１５を区画する。
【００２１】
バック１０は、シーム１３の外側に比較的長目のネック１４を有する。
【００２２】
なまぬるい水は、ネック１４とシーム１３の中の間隙を介してシーム１２，１３間のバックスペースへ供給することができる。
【００２３】
さらなるシーム１７は、バック１０をシーム１２，１３との間のそれらの１つのエッジ部分に相互に接続するために提供することができる。
【００２４】
バック１０が液体で満たされた後、バックのネック１４は図２の中で示されるように簡単な半かけ結び１６により共通して封鎖することができる。
【００２５】
図１の中に示される具体例の変形として、その代わりとしてバック１０が平坦な状態にある長さのホースにより構成されてもよく、それによりシーム１２は、ホースを互いに接続することに加えて、ホースのそれぞれに対して末端封鎖を形成することが必要となる。
【００２６】
図３は、例えば共通の平面に横たわる平坦な状態にあるバック１０が、それらの各々の縦軸の間が９０°の角度に位置決めされていることを除いて、図１に示されたものに対応している具体例を示している。
【００２７】
図４は、バック１０がそれらの各ネック１４が反対方向に延びるように配置されていることを除いて、図１に示されたものに対応する具体例を示している。
【００２８】
図５は、平坦な状態にあるバック１０が好ましくは長方形の形状であり、好ましくは相互に同じ大きさであり、そして本質的に互いに完全に重なり合っており、かつ相互に同じ方向に向き合っているネックを有しているものを示している。
【００２９】
図６は、図５に対応して具体例を示している。しかしながら、図６の具体例のシーム１８，１９は、スペース１５へアクセスするための開口を形成し、かつ相互に異なる長さを有することができる切れ目２８，２９を含む。
【００３０】
図示された具体例の共通の特徴は、バックのネックが大きくて自由な断面積を有する液体充填通路を提供していることであり、そしてネックは、例えばたった１つの半かけ結びでバックを閉じるためのいかなる付加的な手段を用いる必要なしに、個々に又は両者を一緒に結ぶことによりたやすく封鎖することができることである。
【図面の簡単な説明】
【００３１】
【図１】本発明の補助器具の第１の具体例の概略的な透視図である。
【図２】使用時でかつ充満された状態における、図１に従った補助器具を示した図である。
【図３】本発明の補助器具の第２の具体例の概略的な平面図である。
【図４】本発明の補助器具のさらなる具体例の平面図である。
【図５】本発明の補助器具のさらなる具体例の平面図である。
【図６】本発明の補助器具のさらなる具体例の平面図である。
【国際公開パンフレット】
2004525739.tif 000003
2004525739.tif 000004
2004525739.tif 000005
2004525739.tif 000006
2004525739.tif 000007
2004525739.tif 000008
2004525739.tif 000009
2004525739.tif 000010
【国際調査報告】
2004525739.tif 000011
2004525739.tif 000012